【事件の表示】
　平成　９年特許願第１７１５７９号「入力装置」拒絶査定不服審判事件〔平成１０年　４月２８日出願公開、特開平１０−１１１７４６〕について、次のとおり審決する。
【結　論】
　本件審判の請求は、成り立たない。
【理　由】
第１　手続きの経緯　
　本願は平成９年６月２７日（優先権主張平成８年８月９日）に出願されたものであって、平成２０年４月３０日付けで拒絶査定がなされ、これに対して平成２０年６月９日に拒絶査定不服審判が請求されるとともに同年７月７日に手続補正がなされたものである。
　なお、平成１９年１０月１日付け手続補正書でした明細書又は図面についての補正は、特許法第２９条第２項の規定により独立して特許を受けることができないという理由で特許法第５３条の規定により却下された。
　
第２　平成２０年７月７日の手続補正についての補正却下の決定
［補正却下の決定の結論］
　平成２０年７月７日付けの手続補正を却下する。
　
［理由］
１．補正後の本願発明
　平成２０年７月７日付けの手続補正により、特許請求の範囲の請求項１は、
　「【請求項１】　少なくとも文字と数字と記号のキー操作情報を入力するための情報入力キー部と、
　上方向と下方向と左方向と右方向のキー操作情報を入力するための方向入力キーと、前記上下左右の方向入力キーに囲まれた場所に位置している決定情報を入力するための決定入力キーとからなるカーソルコントロールキー部と、
　
少なくとも再生と停止を含む電子機器を制御するための電子機器コントロールキー部と
　前記情報入力キー部
、
及び電子機器コントロールキー部の操作に応じた電子機器に対する操作情報と、前記カーソルコントロールキー部が操作されたときは、前記電子機器におけるグラフィック及びアイコンの表示を操作する操作情報、及びグラフィック及びアイコンの出力をコントロールする操作情報とを生成して時分割に送信するように制御する
　前記制御部で生成された操作情報を送信する送信部と
　を備えたことを特徴とする入力装置。」
と補正された。
　なお、下線は補正された部分を示す。
　
２．補正の適否について
　平成２０年７月７日付けの手続補正は、補正前の請求項１に記載された発明を特定するために必要な事項である「カーソルコントロールキー部と、」を「カーソルコントロールキー部と、少なくとも再生と停止を含む電子機器を制御するための電子機器コントロールキー部と」と限定し、
　同じく、補正前の請求項１に記載された発明を特定するために必要な事項である「カーソルコントロールキー部の操作に応じて、電子機器に対する操作情報を生成する」を「カーソルコントロールキー部及び電子機器コントロールキー部の操作に応じた電子機器に対する操作情報と、前記カーソルコントロールキー部が操作されたときは、前記電子機器におけるグラフィック及びアイコンの表示を操作する操作情報、及びグラフィック及びアイコンの出力をコントロールする操作情報とを生成して時分割に送信するように制御する」と限定する補正であるから、特許法第１７条の２第４項の特許請求の範囲の減縮を目的とするものに該当する。
　そこで、平成２０年７月７日付けの手続補正後の請求項１に記載された発明（以下、「本願補正発明」という。）が特許出願の際独立して特許を受けることができたものであるか、すなわち平成１８年法律第５５号改正附則第３条第１項によりなお従前の例によるとされる同法による改正前の特許法第１７条の２第５項において準用する同法第１２６条第５項の規定に適合するかどうかについて以下に検討する。
　
３．引用刊行物
　原審が拒絶の理由に引用した特開平７−３１１０４９号公報(平成７年１１月２８日出願公開。以下、「引用例１」という。）には、図面と共に次の各記載がある。
　
（ア）「【００２０】ナビゲーション装置は、例えば図１に示すように、ＧＰＳ衛星からの電波を受信して測位情報を算出するＧＰＳ受信機１と、操作に応じてこのナビゲーション装置に選択した機能の情報（コマンド）信号を供給するコマンド入力装置２と、ＧＰＳ受信機１からの測位情報近傍の情報を光ディスク３から再生して読み出す光ディスク再生部４と、信号処理を行う信号処理部５と、信号処理部５からの出力信号を画面上に表示する表示部６とで構成される。
【００２１】コマンド入力装置２は、後段で説明するように各種の選択ボタンの一つに複数の動作モードのすべてが選択可能な操作モードとしてのいわゆるハイレベルモードと特定の制限された機能が選択可能な操作モードとしてのいわゆる簡単モードとを切り換えるＥＺボタン（図２を参照）を有している。
【００２２】光ディスク再生部４で再生される光ディスク３としては、少なくとも地図情報を有するいわゆるＣＤ−ＲＯＭを用いている。
【００２３】光ディスク再生部４は、光ディスクの交換を自在に可能なもので、記録されている情報を読み出して信号処理部５に送出している。この光ディスク再生部４には、いわゆるＣＤ−ＲＯＭドライバが設けられている。
【００２４】信号処理部５は、ＧＰＳ受信機１からの測位情報と、コマンド入力装置２からの操作選択の情報信号と、光ディスク再生部４からの再生情報信号を基に信号処理を行い、上記ＥＺボタンの切換操作に応じた機能の制御も信号処理で行っている。この切換操作の手順についても後段で説明する。
【００２５】信号処理部５は、ＧＰＳ受信機１からの測位情報から光ディスク再生部４に対する情報の読出す領域を指示する制御を行って再生情報信号を求めている。また、信号処理部５は、ナビゲーション装置が有する多彩な機能の中からコマンド入力装置２の操作選択の情報（コマンド）信号に応じた信号処理を行っている。
【００２６】これにより、信号処理部５は、目的とする経由地あるいは最終目的地の方向及び現在自車の進行方向及び経由地までの距離等の情報を算出している。この他に表示部６に表示する「マーク」の指定や色指定、縮尺の指定もコマンド入力装置２からの選択に応じて行っている。
【００２７】信号処理部５は、読み出した地図情報と現在位置のシンボルとの対応をとると共に、方向及び距離の情報を所定の大きさのシンボルやキャラクタに変換した２次元情報をビデオＲＡＭに供給する。ビデオＲＡＭでは、これらすべての情報を重畳して構成した２次元の画像情報が構成されている。このようにして信号処理部５は、信号処理結果である２次元の画像情報を表示部６に逐次供給している。
【００２８】表示部６は、陰極線管（ＣＲＴ）あるいは、液晶ディスプレイ（ＬＣＤ）等が用いられている。このように構成することにより、ナビゲーション装置は、ユーザをこの表示部６に表示された画像情報から経由地まで誘導する。」
　
（イ）「【００２９】次に、ナビゲーション装置に使われているコマンド入力装置２について図２の選択ボタン配置の平面図を参照しながら簡単に説明する。コマンド入力装置２は、細長い形状の発光部２０を表示部６の受光部に向けて操作する。このコマンド入力装置２の選択ボタンの配置は、略々装置の中心線Ａ−Ａ’に対して対称な位置あるいは中心線Ａ−Ａ’上に配するようになっている。
【００３０】コマンド入力装置２は、先端側にイージーボタン（以下、ＥＺボタンという）を中心線Ａ−Ａ’上に配している。コマンド入力装置２は、上記発光部２０を基準にナビゲーション装置本体から離れる方向に明るさ／南北ボタン２２とマークボタン２３、メニューボタン２７とウェイポイントボタン２８、ディスク選択ボタン３０と情報ボタン３１及び外部入力ボタン３２とナビゲーションボタン３３を装置の中心線Ａ−Ａ’に対して対称な位置に配置している。
【００３１】このコマンド入力装置２において明るさ／南北ボタン２２とマークボタン２３の位置とメニューボタン２７とウェイポイントボタン２８の位置の間には、決定ボタン２４、ズームボタン２５及び現在地ボタン２６が中心線Ａ−Ａ’上に配置されている。また、メニューボタン２７とウェイポイントボタン２８の位置とディスク選択ボタン３０と情報ボタン３１の位置の間には、ユーザーボタン２９が中心線Ａ−Ａ’上に配置されている。
【００３２】各スイッチボタンの機能を簡単に説明する。ＥＺボタン２１は、いわゆる簡単モードといわゆるハイレベルモードとの切換スイッチである。
【００３３】明るさ／南北ボタン２２は、ボタンを押す毎に表示される地図の南と北を切り換えて表示させる切換ボタンである。このボタンを１秒以上押すと、明るさ調節ボタンとして使用することができる。マークボタン２３は、表示部６に地図が表示されているとき、この地図上に「マーク」を付けるボタンである。
【００３４】決定ボタン２４は、表示部６に表示されているアイコンを例えば上下左右に移動させると共に、機能の選択等を行う際の選択ボタンである。ズームボタン２５は、表示部６に表示されている画像情報に対して拡大表示／縮小表示を段階毎に徐々に切り換えて詳細な地図／広域な地図を見るためのボタンである。
【００３５】現在地ボタン２６は、現在位置の表示を切り換えるボタンである。メニューボタン２７は、このボタンを押すことにより、表示部６にメニュー画面を表示させる。ウェイポイントボタン２８は、行き先を設定しているときやナビゲーション中に押すことにより、経由地の地点設定を行う。
【００３６】ユーザーボタン２９は、使用頻度の高い機能を予めメニューの中から選択しこのボタンに登録しておく。これにより、このボタンが押されたとき、登録した機能をこの一つの操作だけで実行させることができる。
【００３７】ディスクボタン３０は、使用中のディスクの情報を表示させるボタンである。また、情報ボタン３１は、このボタンの選択により、ドライブのシンボルを表示部６に表示させる。これにより、様々なドライブ情報を見ることができる。
【００３８】外部入力ボタン３２は、別ユニットのテレビチューナユニットやビデオカメラ等と接続した際に入力切換を行うスイッチボタンである。最後に、ナビゲーションボタン３３は、押す毎にナビゲーション機能の入／切を行うボタンである。」
　
（ウ）「【００３９】つぎに、ナビゲーション装置において簡単モードとハイレベルモードの切換手順について図３のフローチャートと図４の表示部６のモニタ画面を参照しながら説明する。ナビゲーション装置は、メニュー操作において簡単モードとハイレベルモードのどちらのモードを選択するか選ぶことから始まるようになっている。
【００４０】ステップＳ１０では、ＥＺボタン２１が押されたかどうかの判定を行っている。ＥＺボタン２１が押されていないとき（Ｎｏ）、この現モードのまま終了する。また、ＥＺボタン２１が押されたとき（Ｙｅｓ）、ステップＳ１１に進む。
【００４１】ステップＳ１１では、現在のモードがハイレベルかどうかの判定を行う。現在のモードが簡単モードのとき（Ｎｏ）、モード選択画面として図４（ａ）に示す画面が表示部６のモニタに表示される。この後、ステップ１２ではモード変更処理を行う。モード変更処理は、例えば決定ボタン２４により指差し状態を表すアイコン１０を図４（ｂ）に示すように下方向に移動させてハイレベルモードにした後、決定ボタン２４が押されると信号処理部５の設定モードを切り換えている。
【００４２】また、ステップＳ１１で現在のモードがハイレベモードのとき（Ｙｅｓ）、モード選択画面として図４（ｂ）に示す画面が表示部６のモニタに表示される。この後、ステップ１３ではモード変更処理を行う。モード変更処理は、例えば決定ボタン２４により指差し状態を表すアイコン１０を図４（ａ）に示すように上方向に移動させて簡単モードにした後、決定ボタン２４が押されると信号処理部５の設定モードを切り換ている。
【００４３】ステップＳ１２、Ｓ１３の各モード変更処理が終了した後にこのモードの選択を終了して例えば地図画面に戻る。」
　
（エ）「【００５５】
【発明の効果】本発明に係るナビゲーション装置では、機能制御手段で選択操作手段であるコマンド入力装置に配設された操作モード切換手段の切換操作に応じて各操作モードの機能を制御することにより、ユーザの好みや選択した機能のレベルに応じて動作モードを設定することにより、幅広いユーザの希望に対応することができ、操作性の簡素化を図ることができる。また、機能アップ時には、機能内容に応じたモードに対して機能を付加するだけで済ませることができる。これにより、機能アップの設定の効率化及び操作性の悪化を最小限に抑えることができる。
【００５６】特定の制限された機能が選択可能な操作モードを選択することにより、データ設定機能における設定可能数を制限することにより、操作の簡素化を行うことができる。
【００５７】特定の制限された機能が選択可能な操作モードを選択することにより、複雑な手順を踏んで表示部に表示されるメニュー項目を使用頻度の高い項目にしてメニュー項目数を減らすことにより、初心者でも操作を誤ることなく、必要な機能を十分発揮させることができる。
【００５８】また、特定の制限された機能が選択可能な操作モードを選択することにより、使用頻度の少ない経由した移動軌跡の消去操作を行うことなく、操作モードに応じて消去の入／切の操作を自動的に設定することができる。
【００５９】複数の動作モードのすべてが選択可能な操作モードでは、一つの動作モードに対して複数の機能を階層化させて扱い、簡単モードでは、各動作モードを単一の機能として扱うように制御することにより、簡単モードにおける操作の簡便化を図ることができる。」
　
（オ）図２にはコマンド入力装置の平面図が記載され、決定ボタン２４は上下左右に矢印があり、矢印に囲まれて、その中央に決定と記載されている。
　
　以上の記載からみて、引用例１には、次のような発明が記載されているものと認められる。
　「上下左右の矢印とその矢印に囲まれて決定と記載され、表示部に表示されているアイコンを上下左右に移動させると共に、機能の選択等を行う決定ボタン２４と、
  ＥＺボタン２１，明るさ／南北ボタン２２，マークボタン２３，ズームボタン２５，現在地ボタン２６，メニューボタン２７，ウェイポイントボタン２８，ユーザーボタン２９，ディスク選択ボタン３０，情報ボタン３１，外部入力ボタン３２，ナビゲーションボタン３３を含むナビゲーション装置に使われる選択ボタンと、
　前記決定ボタン２４及び選択ボタンの操作に応じてナビゲーション装置を操作し、
　前記決定ボタン２４が操作されたときは、前記ナビゲーション装置におけるアイコンの表示を移動し、機能の選択を行い、
　発光部２０をナビゲーション装置の表示部６の受光部に向けて操作する、
　コマンド入力装置２。」
　　
４．対比
　本願補正発明と引用例１に記載された発明（以下、「引用発明」という。）を対比する。
（１）引用発明には、「上下左右の矢印とその矢印に囲まれて決定と記載され、表示部に表示されているアイコンを上下左右に移動させると共に、機能の選択等を行う決定ボタン２４」が記載されており、関連して引用例１には、
「【００３４】
決定ボタン２４は、表示部６に表示されているアイコンを例えば上下左右に移動させると共に、機能の選択等を行う際の選択ボタンである
「【００４１】ステップＳ１１では、現在のモードがハイレベルかどうかの判定を行う。現在のモードが簡単モードのとき（Ｎｏ）、モード選択画面として図４（ａ）に示す画面が表示部６のモニタに表示される。この後、ステップ１２ではモード変更処理を行う。
モード変更処理は、例えば決定ボタン２４により指差し状態を表すアイコン１０を図４（ｂ）に示すように下方向に移動させてハイレベルモードにした後、決定ボタン２４が押されると信号処理部５の設定モードを切り換えている
【００４２】また、ステップＳ１１で現在のモードがハイレベモードのとき（Ｙｅｓ）、モード選択画面として図４（ｂ）に示す画面が表示部６のモニタに表示される。この後、ステップ１３ではモード変更処理を行う。
モード変更処理は、例えば決定ボタン２４により指差し状態を表すアイコン１０を図４（ａ）に示すように上方向に移動させて簡単モードにした後、決定ボタン２４が押されると信号処理部５の設定モードを切り換えている
　との記載があり、これらの記載からみるに、引用発明の決定ボタン２４は、上下左右の４方向入力に関する図示の４つの矢印に囲まれた場所に位置し、そしてアイコンを上下左右４方向に移動させる機能を含み、ナビゲーション装置の機能を選択し決定するためのボタンでもあるから、本願補正発明の「方向入力キーと決定入力キーとからなるカーソルコントロールキー部」に相当し、本願補正発明と引用発明とは、
　「上方向と下方向と左方向と右方向のキー操作情報を入力するための方向入力キーと、前記上下左右の方向入力キーに囲まれた場所に位置している決定情報を入力するための決定入力キーとからなるカーソルコントロールキー部」
　を有する点で一致する。
　
（２）引用発明の「決定ボタン２４」と、「ＥＺボタン２１」，「明るさ／南北ボタン２２」，「マークボタン２３」，「ズームボタン２５」，「現在地ボタン２６」，「メニューボタン２７」，「ウェイポイントボタン２８」，「ユーザーボタン２９」，「ディスク選択ボタン３０」，「情報ボタン３１」，「外部入力ボタン３２」，「ナビゲーションボタン３３」とを具備したコマンド入力装置２は、ナビゲーション装置に対する入力装置であるから、引用発明の「コマンド入力装置２」は本願補正発明の「入力装置」に相当することは明らかであり、引用発明のナビゲーション装置は本願補正発明の電子機器に相当する。
　
（３）引用発明のコマンド入力装置２には、「ＥＺボタン２１」，「明るさ／南北ボタン２２」，「マークボタン２３」，「ズームボタン２５」，「現在地ボタン２６」，「メニューボタン２７」，「ウェイポイントボタン２８」，「ユーザーボタン２９」，「ディスク選択ボタン３０」，「情報ボタン３１」，「外部入力ボタン３２」，「ナビゲーションボタン３３」が設けられており、これらの各ボタンはナビゲーション装置を操作するためのボタンであるから、引用発明の各ボタンは、本願補正発明の「電子機器コントロールキー部」に相当し、本願補正発明と引用発明とは、
　「電子機器を制御するための電子機器コントロールキー部」
　を有する点で一致する。
　
（４）引用発明の「決定ボタン２４」と、引用発明の「ＥＺボタン２１」，「明るさ／南北ボタン２２」，「マークボタン２３」，「ズームボタン２５」，「現在地ボタン２６」，「メニューボタン２７」，「ウェイポイントボタン２８」，「ユーザーボタン２９」，「ディスク選択ボタン３０」，「情報ボタン３１」，「外部入力ボタン３２」，「ナビゲーションボタン３３」とは、ボタンの押下に応じて、ナビゲーション装置に対する操作情報を生成しているといえるから、本願補正発明と引用発明とは、
　「カーソルコントロールキー部及び電子機器コントロールキー部の操作に応じた電子機器に対する操作情報」
を生成する点で一致する。
　
（５）引用発明は、決定ボタン２４が操作されたときに、ナビゲーション装置（本願補正発明の電子機器に相当）に於けるアイコンの表示を操作し、機能の選択を行っている。アイコンの表示を操作することは、グラフィック及びアイコンの表示を操作する操作情報を生成しているといえる。また、機能を選択することはグラフィック及びアイコンの出力を生成しているといえるから。よって、引用発明と本願補正発明は、
　「カーソルコントロールキー部が操作されたときは、電子機器におけるグラフィック及びアイコンの表示を操作する操作情報、及びグラフィック及びアイコンの出力をコントロールする操作情報とを生成」している点で一致し、引用発明も操作情報を生成する制御部を備えていることは明らかである。
　
　そうすると、本願補正発明と引用発明との間の一致点及び相違点は次のとおりである。
　
（一致点）
　「上方向と下方向と左方向と右方向のキー操作情報を入力するための方向入力キーと、前記上下左右の方向入力キーに囲まれた場所に位置している決定情報を入力するための決定入力キーとからなるカーソルコントロールキー部と、
　電子機器を制御するための電子機器コントロールキー部と、
　前記カーソルコントロールキー部及び電子機器コントロールキー部の操作に応じた電子機器に対する操作情報と、前記カーソルコントロールキー部が操作されたときは、前記電子機器におけるグラフィック及びアイコンの表示を操作する操作情報、及びグラフィック及びアイコンの出力をコントロールする操作情報とを生成する制御部と、
　を備えたことを特徴とする入力装置。」
である点において一致し、次の各点で相違する。
　
（相違点１）
　本願補正発明は少なくとも文字と数字と記号のキー操作情報を入力するための情報入力キー部を有しているのに対して、引用発明は情報入力キー部を有していない点。
　
（相違点２）
　本願補正発明は少なくとも再生と停止のための電子機器コントロールキー部を有しているのに対して、引用発明は再生と停止のための電子機器コントロールキー部を有していない点。
　
（相違点３）
　本願補正発明は、電子機器に対する操作情報と、電子機器に於けるグラフィック及びアイコンの表示を操作する操作情報、及びグラフィック及びアイコンの出力をコントロールする操作情報とを時分割的に送信しているのに対し、
　引用発明は、ナビゲーション装置を操作する発光部を有し、ナビゲーション装置に対する操作情報と、ナビゲーション装置におけるアイコンの表示を操作する操作情報、及びアイコンの出力をコントロールする操作情報を生成しているといえるが、送信部が記載されておらずまた時分割的に送信するとは明記されていない点。
　
５．判断
（相違点１について）
　リモコン上に、操作ボタンの他に文字や数字等の入力部を設けることは、当業者には周知自明な技術常識であるところ、リモコンから数字や文字の入力を行うことは、例えば、特開平８−１３７４８５号公報、及び、特開平２−２７４０８９号公報にその旨の記載があるように当業者には周知な技術事項であるから、かかる周知技術事項を、引用発明に適用して本願補正発明の如く構成することは、必要に応じて当業者が適宜なし得ることである。
　なお、特開平８−１３７４８５号公報についてはキーボード２４に関する記載を参照のこと。また、特開平２−２７４０８９号公報についてはキーパッド（キーボード）２５に関する記載を参照のこと。
　
（相違点２について）
　制御対象機器の機能に応じて（例えば、制御対象機器が一般にリモコンで操作されることが多いＶＴＲやＣＤプレーヤである場合を考慮に入れて）再生及び停止のための電子機器コントロールキーを設けることは、当業者には周知自明な技術常識であるところ、例えば、特開平７−３３６７７８号公報、及び、特開平７−４４４７７号公報にその旨の記載があるように当業者には周知な技術事項であるから、引用発明を周知技術に採用して本願発明の如く構成することは、当業者が適宜なし得ることである。
　なお、特開平７−３３６７７８号公報については特許請求の範囲の各項記載の発明及び段落００４７、図１２に開示された技術事項を参照のこと。また、特開平７−４４４７７号公報については特許請求範囲の各項記載の発明及び図１，１７，１８，２０，２１，２２，２４，２８，２９，３０，３８等に開示された技術事項を参照のこと。
　
（相違点３について）
　引用発明のコマンド入力装置は発光部によりナビゲーション装置を操作しているから、明記はないものの送信部を有すると解される。そして時分割で情報を送信することは引用例を挙げるまでもなく周知慣用されている自明な技術常識であるから、操作情報を送信するに際し、時分割的に送信することは、当業者が適宜なし得ることである。
　
　そして、本願補正発明の奏する効果は、引用発明及び周知技術の奏する効果から予測される範囲内のものにすぎず、格別顕著なものということはできない。
　したがって、本願補正発明は、引用発明及び周知技術に基づいて当業者が容易に発明をすることができたものである。
　
６．本願補正発明についてのむすび
　以上のとおり、本願補正発明は、特許法第２９条第２項の規定により特許出願の際独立して特許を受けることができるものではなく、したがって、平成２０年７月７日付けの本件補正は、平成１８年法律第５５号改正附則第３条第１項によりなお従前の例によるとされる同法による改正前の特許法第１７条の２第５項において準用する同法１２６条第５項の規定に違反するので、同法第１５９条第１項において読み替えて準用する同法第５３条第１項の規定により却下すべきものである。
　
第３　本願発明について
１．本願発明
　平成２０年７月７日付けの手続補正は前記のとおり却下され、そして本願発明の経緯に於いて述べたように、平成１９年１０月１日付けの手続補正は補正却下されたから、本願の特許請求の範囲の請求項１に係る発明（以下、「本願発明」という。）は、平成１９年３月１２日付けの手続補正により補正された特許請求の範囲の請求項１に記載された次のとおりのものである。
　
　「【請求項１】　少なくとも文字と数字と記号のキー操作情報を入力するための情報入力キー部と、
　上方向と下方向と左方向と右方向のキー操作情報を入力するための方向入力キーと、前記上下左右の方向入力キーに囲まれた場所に位置している決定情報を入力するための決定入力キーとからなるカーソルコントロールキー部と、
　前記情報入力キー部および前記カーソルコントロールキー部の操作に応じて、電子機器に対する操作情報を生成する制御部と、
　前記制御部で生成された操作情報を送信する送信部と
　を備えたことを特徴とする入力装置。」
　
２．引用刊行物
　原査定の拒絶の理由に引用された引用例及びその記載事項は、前記「第２　３．」に記載したとおりである。
　
３．対比・判断
　本願発明は、前記「第２」で検討した本願補正発明から、発明を限定する事項である次の２つの事項、すなわち、
(1)「カーソルコントロールキー部と、」を「カーソルコントロールキー部と、少なくとも再生と停止を含む電子機器を制御するための電子機器コントロールキー部と」と限定する事項。
(2)「カーソルコントロールキー部の操作に応じて、電子機器に対する操作情報を生成する」を「カーソルコントロールキー部及び電子機器コントロールキー部の操作に応じた電子機器に対する操作情報と、前記カーソルコントロールキー部が操作されたときは、前記電子機器におけるグラフィック及びアイコンの表示を操作する操作情報、及びグラフィック及びアイコンの出力をコントロールする操作情報とを生成して時分割に送信するように制御する」と限定する事項
を省いたものである。
　そうすると、本願発明を特定する事項をすべて含む本願補正発明が、前記「第２　４．」及び「第２　５．」に記載したとおり、引用発明及び周知技術とに基づいて当業者が容易に発明をすることができたものであるから、本願発明も、同様の理由により、引用発明及び周知技術とに基づいて当業者が容易に発明をすることができたものであり、特許法第２９条第２項の規定により特許を受けることができないものである。
　そして本願発明のようにした効果も引用発明及び周知技術から予測できる程度のものである。
　
４．　むすび
　以上のとおり、本願発明は、引用発明及び周知技術に基づいて当業者が容易に発明することができたものである。
　したがって、本願はその余の請求項について論及するまでもなく、特許法第２９条第２項の規定により特許を受けることができない。
　
　よって、結論のとおり審決する。